(57)【特許請求の範囲】
【請求項１】
配管を継手本体内で把持する保持部材と前記保持部材を奥側へ押し込む解除部材とを有し、前記保持部材は、管挿入口側の端部へ向かってのみテーパー面が形成されると共に、奥側の端部が前記テーパー面に連なって円筒状に形成され、保持部材と挿入された配管が抜け方向に移動すると、保持部材は、前記継手本体のテーパー面に沿ってのみ縮径して配管に食い込むようにしていると共に、前記継手本体内には、配管を挿入した終端側を塞ぐ壁面に、前記保持部材の奥側の端部を拡径させる乗り上げ面を有し、また継手本体の内壁には、前記保持部材の奥側の端部を囲う内筒面と、この内筒面から連なって管挿入口側へ向かって縮径したテーパー面とが形成され、また前記解除部材には保持部材の管挿入口側の端部を拡径させるテーパー面が形成され、
前記解除部材によって保持部材を奥側へ押し込むと、保持部材は、奥側の端部が前記乗り上げ面に接して全体的に拡径方向に変形し、保持部材による配管への食い込みが解除された状態となるようにしており、この食い込みが解除された状態において、保持部材を奥側へ押し込んだとき、保持部材は、継手本体内の乗り上げ面と解除部材のテーパー面とに挟まれて、配管から離反する方向に対して保持部材の前後の双方から変形させる力が加わり、保持部材が全体的に拡径方向に変形し、保持部材の前記奥側の端部の外周面及び前記テーパー面が、それぞれ継手本体内の内壁の前記内筒面及びテーパー面に沿う状態となることを特徴とする管継手。
【請求項２】
前記保持部材は、内周面のうち両端部を除く軸方向中央寄りの部位に内周面が平坦状になった突起を含む複数条の環状突起帯が突設される請求項１記載の管継手。
【請求項３】
前記保持部材の管挿入口側の端部に解除部材側のテーパー面と対向するテーパー面が形成された請求項１又は２記載の管継手。
【発明の詳細な説明】
【０００１】
【発明の属する技術分野】
この発明は、ホースやチューブなどの配管類の接続機構を有する管継手に関するものである。
【０００２】
【従来の技術】
従来より、油、水、エアー等の流体の配管のためにホースをグリッパーで保持する機構を有する管継手が使用されている。
【０００３】
図５に示すように、この管継手はホース21の挿入初期の使用前の段階では、合成樹脂製のグリッパー22はホース21表面に軽く食いついているだけの状態である。この状態でホース21を加圧すると、内圧によってホース21とグリッパー22は図示右側に一体的に移動し、継手本体23内壁のテーパー部24に沿ってグリッパー22は縮径してホース21に食い込んでいく。
【０００４】
このグリッパー22の縮径変形によってホース21を保持し、使用中の抜けを防止する。そして使用するにつれグリッパー22はホース21表面に食い込んでいき、ホース21は経時的に更に抜け難くなっていく。ところが、一定期間装置を使用した後のメンテナンスや掃除などの際には、ホース21を管継手から取り外す必要がある。
【０００５】
しかし、前記の通りホース21は非常に抜け難くなっている。このため、継手本体23の側面に予め孔部（図示せず）を穿設しておいて、この孔部から継手内部へとピン（図示せず）を挿入してグリッパー22の移動を拘束した状態でホース21を引き抜くなどの工夫が考えられるが、より簡単な操作で引き抜くことが要望される。
【０００６】
【発明が解決しようとする課題】
そこでこの発明は、より簡単な態様で配管を引き抜くことができる管継手を提供しようとするものである。
【０００７】
【課題を解決するための手段】
前記課題を解決するためこの発明では次のような技術的手段を講じている。
（１）この発明の管継手は、配管を継手本体内で把持する保持部材と前記保持部材を奥側へ押し込む解除部材とを有し、前記保持部材は、管挿入口側の端部へ向かってのみテーパー面が形成されると共に、奥側の端部が前記テーパー面に連なって円筒状に形成され、保持部材と挿入された配管が抜け方向に移動すると、保持部材は、前記継手本体のテーパー面に沿ってのみ縮径して配管に食い込むようにしていると共に、前記継手本体内には、配管を挿入した終端側を塞ぐ壁面に、前記保持部材の奥側の端部を拡径させる乗り上げ面を有し、また継手本体の内壁には、前記保持部材の奥側の端部を囲う内筒面と、この内筒面から連なって管挿入口側へ向かって縮径したテーパー面とが形成され、また前記解除部材には保持部材の管挿入口側の端部を拡径させるテーパー面が形成され、
前記解除部材によって保持部材を奥側へ押し込むと、保持部材は、奥側の端部が前記乗り上げ面に接して全体的に拡径方向に変形し、保持部材による配管への食い込みが解除された状態となるようにしており、この食い込みが解除された状態において、保持部材を奥側へ押し込んだとき、保持部材は、継手本体内の乗り上げ面と解除部材のテーパー面とに挟まれて、配管から離反する方向に対して保持部材の前後の双方から変形させる力が加わり、保持部材が全体的に拡径方向に変形し、保持部材の前記奥側の端部の外周面及び前記テーパー面が、それぞれ継手本体内の内壁の前記内筒面及びテーパー面に沿う状態となることを特徴とする。
また前記保持部材は、内周面のうち両端部を除く軸方向中央寄りの部位に内周面が平坦状になった突起を含む複数条の環状突起帯が突設されることが好ましい。
【０００８】
この管継手では使用後に配管を引き抜くときは、解除部材によって保持部材を奥側へ押し込むことにより保持部材の奥側の端部が継手本体内の乗り上げ面に乗り上げて拡径した状態とする。これにより保持部材による配管への食い込みが解除され、配管を引き抜くことができる。
▲２▼  前記解除部材に保持部材の管挿入口側の端部を拡径させるテーパー面が形成されたこととしてもよい。
【０００９】
このように構成すると保持部材は、その奥側の端部を拡径させる継手本体内の乗り上げ面とその管挿入口側の端部を拡径させる解除部材のテーパー面とに挟まれて全体的に拡管方向に変形するので、保持部材の配管への食い込みがより完全に解除される。
▲３▼  前記保持部材の管挿入口側の端部に解除部材側のテーパー面と対向するテーパー面が形成されたこととしてもよい。
【００１０】
このように構成すると、解除部材側のテーパー面とこれに対向する保持部材の管挿入口側の端部のテーパー面によって保持部材の管挿入口側の端部はより円滑に拡径せしめられる。
【００１１】
【発明の実施の形態】
以下、この発明の実施の形態を図面を参照して説明する。
【００１２】
図１乃至図４に示すように、この管継手は、合成樹脂製の配管（ホース）１を継手本体２内で把持する合成樹脂製の筒状の保持部材（グリッパー）３と前記保持部材３を奥側へ押し込む合成樹脂製の筒状の解除部材（リリース）４とを有する。
【００１３】
前記保持部材３（図４参照）は、管挿入口側の端部と奥側の端部との前後から交互に複数本のスリット５が平行に形成されており、拡縮径を可能としている。また保持部材３の内周面には、配管１の外周面に食い込んで強固に保持するように複数条の環状突起帯６が突設されている。
【００１４】
そして、使用時に前記保持部材３と挿入された配管１が抜け方向に一緒に移動すると、保持部材３は継手本体２内のテーパー面７（テーパー状の傾斜面）に沿って縮径して配管１に食い込んでいくようにしている。保持部材３は配管１の外周面を全体的に押さえ込んで食い締めしっかりと緊締する。
【００１５】
また継手本体２内には、前記保持部材３の奥側の端部を拡径させる乗り上げ面８を形成している。この乗り上げ面８は、継手本体２内における配管１を挿入した終端側の壁面に形成している。一方、前記解除部材４には、保持部材３の管挿入口側の端部を拡径させるテーパー面９を形成している。さらに前記保持部材３の管挿入口側の端部に、解除部材４側のテーパー面９と相対向するテーパー面10を形成している。
【００１６】
次に、この実施形態の管継手の使用状態を説明する。
【００１７】
図１に示すように、配管１の挿入初期の使用前の段階では合成樹脂製の保持部材３は配管１表面に軽く食いついているだけの状態である。
【００１８】
この状態で配管１を加圧すると、図２に示すように、内圧によって配管１と保持部材３は図示右側に一体的に移動し、継手本体２内壁のテーパー部７に沿って保持部材３は縮径して配管１に食い込んでいく。この保持部材３の縮径変形によって配管１を保持し、使用中の抜けを防止する。
【００１９】
図３に示すように、使用後に配管１を引き抜くときは先ず配管１を奥側に押し込む。また解除部材４によって保持部材３を奥側へ押し込むことにより、保持部材３の奥側の端部が継手本体２内における終端側の壁面の乗り上げ面８に乗り上げて拡径した状態とする。これにより保持部材３による配管１への食い込みが解除され、配管１を引き抜くことができる。したがって保持部材３が配管１表面に食い込んで配管１が経時的に抜け難くなっていても、容易に引き抜くことができる。
【００２０】
この管継手によると、継手本体２の側面に予め穿設した孔部から継手内部へピンを挿入して保持部材３の移動を拘束した状態で配管１を引き抜くような手がかかる態様でなくても配管１を引き抜くことができるので、より簡単な態様で配管１を引き抜くことができるという利点がある。
【００２１】
また前記解除部材４に、保持部材３の管挿入口側の端部を拡径させるテーパー面９を形成しており、保持部材３は、その奥側の端部を拡径させる継手本体２内の乗り上げ面８とその管挿入口側の端部を拡径させる解除部材４のテーパー面９とに挟まれて全体的に拡径方向に変形するので、保持部材３の配管１への食い込みがより完全に解除されるという利点がある。すなわち、配管１から離反する方向に対して保持部材３の前後の双方から変形させる力が加わり、保持部材３が片方端からだけではなく全体的に拡径するので非常に分離し易い。
【００２２】
さらに、前記保持部材３の管挿入口側の端部に解除部材４側のテーパー面９と対向するテーパー面10を形成したので、解除部材４側のテーパー面９とこれに対向する保持部材３の管挿入口側の端部のテーパー面10によって保持部材３の管挿入口側の端部はより円滑に拡径せしめられるという利点がある。
【００２３】
【発明の効果】
この発明は上述のような構成であり、次の効果を有する。
【００２４】
継手本体の側面に予め穿設した孔部から継手内部へピンを挿入してグリッパーの移動を拘束した状態でホースを引き抜くような手がかかる態様でなくても配管を引き抜くことができるので、より簡単な態様で配管を引き抜くことができる管継手を提供することができる。
【図面の簡単な説明】
【図１】この発明の管継手の実施形態で配管挿入時初期の状態を示す半断面図。
【図２】図１の管継手で配管加圧後の状態を示す半断面図。
【図３】図２の管継手で配管分離時の状態を示す半断面図。
【図４】図１の管継手の保持部材の構造を説明するために継手本体から離して示す分解半断面図。
【図５】従来の管継手を示す半断面図。
【符号の説明】
１  配管
２  継手本体
３  保持部材
４  解除部材
７  テーパー面（継手本体内）
８  乗り上げ面
９  テーパー面（解除部材）
10  テーパー面（保持部材）
【図１】
0004714917.tif 000002
【図２】
0004714917.tif 000003
【図３】
0004714917.tif 000004
【図４】
0004714917.tif 000005
【図５】
0004714917.tif 000006